(57)【要約】 【課題】    連続的に取水供給量を切り換えて水流によって散水スプレイの制御が妨害されることのないようにした、スプリンクラーの散水スプレイ揺動制御装置を提供する。【解決手段】  羽根車付の歯車装置７０が配備された、異なる角度に散水スプレイ体Ｂを揺動する散水制御機構が配設され、リンク機構において、２つの入口オリフィス８４を有する水ダクト８０と、リンケージ歯車８９１および２つのカバーブロック８９３を有する散水制御装置８９と、から構成されたスプリンクラーの散水スプレイ揺動制御装置と協働して、リンケージ歯車と２つのカバーブロックが歯車装置と共に回転して、取水量を徐々に切り換えて、散水距離を、遠くから近くへ、近くから遠くへと、リズミカルに変化させ、芝生に均等に散水する構成とした。【選択図】    図２
2007151533.tif 000002
【特許請求の範囲】
【請求項１】
スプリンクラーの散水スプレイ揺動制御装置であって、
前記装置は、異なる角度に散水スプレイ体の揺動動作を付勢するための散水制御集成体から構成され、羽根車のついた歯車装置が前記散水制御集成体内部に配置されており、
前記歯車装置と連結して散水スプレイ揺動制御装置がもたらされており、前記散水スプレイ揺動制御装置は、複数個の入口オリフィスが限定された水ダクトと、一端部にリンケージ歯車および他端部に複数個のカバーブロックを有する散水スプレイ制御装置とから成り、
前記散水スプレイ制御装置のリンケージ歯車は前記歯車装置の内の一つの対応する歯車に直接噛み合い、前記カバーブロックは前記入口オリフィスと正確に噛み合い、前記散水スプレイ制御装置のリンケージ歯車とカバーブロックとが前記歯車装置によって付勢されて、徐々に徐々に回転させられて入口オリフィスに流れ込む給水量を切り換えることにより、噴射される散水スプレイが、遠くから近くへ、近くから遠くへと、距離をリズミカルに変えて揺動するようにしたことで、芝生上に散水を均一に分布することができるようにしたことを特徴とするスプリンクラーの散水スプレイ揺動制御装置。
【請求項２】
前記水ダクトにはその一端部に固定歯車が配置され、前記歯車装置の前端歯車と噛み合うようになることを特徴とする請求項１記載のスプリンクラーの散水スプレイ揺動制御装置。
【請求項３】
前記散水制御集成体は更に、端部水入口および可動座を含み、前記端部水入口および可動座各々には前記水ダクト収容用の溝部が配設されていて、これら溝部を介して互いに密着状態に接合されていることを特徴とする請求項１記載のスプリンクラーの散水スプレイ揺動制御装置。
【請求項４】
前記端部水入口の溝部内にはリング座が形成されており、該リング座には挿入用ブロックが突出して形成され、複数個の挿入用凹部が表面に形成された位置決め部材に係合して位置決めするようにしたことを特徴とする請求項３記載のスプリンクラーの散水スプレイ揺動制御装置。
【請求項５】
前記位置決め部材は、テーパが付いた環状端部に、複数個の逆止プレートと可撓性プレートとが交互に配置されており、前記各々の可撓性プレートはその内側表面に鋸歯状リブが限定されており、位置決め部材の環状のテーパ付き端部が、水ダクトの固定歯車と相対向する端部に形成され鋸歯状表面が限定された係止座へ協働的に連結されると、位置決め部材の可撓性プレートの鋸歯状リブが係止座の鋸歯状表面に弾性的に噛み合うと共に、位置決め部材の逆止プレートが係止座の内側端部壁面に正確に密接隣接して位置付けられるようになることを特徴とする請求項４記載のスプリンクラーの散水スプレイ揺動制御装置。
【請求項６】
前記水ダクトの中間部分には、複数個の環状溝が限定されており、各々の環状溝の中には密封リングが収容されていることを特徴とする請求項１記載のスプリンクラーの散水スプレイ揺動制御装置
【請求項７】
前記水ダクトの固定歯車と可動座の溝部との間に潤滑プレートが挟持されていることを特徴とする請求項２記載のスプリンクラーの散水スプレイ揺動制御装置。
【請求項８】
前記水ダクトの他端部の外側表面には、水ダクトの内側と連通して入口オリフィスが相対向して対称的に配置され、水ダクトの他端部の内部には、窪みの限定された段付きリング状隣接座が配置され、前記窪みの中心には小径になる管路が配置されていて、前記管路の両側には、移動室および集水室が配置され、該移動室を介して前記散水スプレイ制御装置が設置されるという構成になり、散水スプレイ制御装置の一端部に配置された連結プレートの両側部には、相対向して対称的に外側にアーチ形に膨らんで、全体としてＨ字形構成を形成したカバーブロックが配置されていて、これにより、連結プレートの上側および下側の両方に取水通路が限定されると共に、前記カバーブロックがリング状隣接座に隣接して、連結プレートが前記窪みの上部全体にわたると、適切な空間を保持できるようになることを特徴とする請求項１記載のスプリンクラーの散水スプレイ揺動制御装置。
【請求項９】
一端部にテーパ付き係止フランジが配設され、その他端部には環状係止フランジが配置され、前記環状係止フランジの内側にバネが配置された圧力解除弁を備え、前記圧力解除弁の環状係止フランジは前記バネによって弾性的に支持されていて、前記圧力解除弁が前記水ダクトの管路へ収容されると、前記テーパ付き係止フランジが前記窪みの内壁に正確に隣接するようになる一方、前記散水スプレイ制御装置の連結プレートの一端部にも前記管路に正確に一致するように形成された切欠部が形成されていて、これにより、高水圧状態に対しては、圧力を解除する機構が働くように水圧の強度によって操作中に圧力解除弁が付勢されるようにしたことを特徴とする請求項８記載のスプリンクラーの散水スプレイ揺動制御装置。
【請求項１０】
ファン状形態に形成された一対の対称になる係止面を有する入口オリフィスが水ダクトの一端部の内部に形成されており、前記係止面の両側には、移動室および集水室が配置されていて、移動室および集水室が入口オリフィスと流体移動可能に接続しており、散水スプレイ制御装置に前記入口オリフィスとほぼ同形状ではあるが若干大きいカバーブロックが一対備えられており、前記散水スプレイ制御装置が前記移動室に配置され、前記散水スプレイ制御装置のカバーブロックが前記係止面をスムーズに回転してゆくと、前記２つの入口オリフィスを徐々に塞いでゆき、これにより取水量を切り換えてゆくようにしたことを特徴とする請求項１記載のスプリンクラーの散水スプレイ揺動制御装置。
【発明の詳細な説明】
【技術分野】
【０００１】
本発明は、スプリンクラーの散水スプレイ揺動制御装置に関し、更に具体的に言うと、労せずしてスムーズに散水スプレイ制御装置を回転させて、連続的に取水供給量を切り換えて、水流によって散水スプレイの制御が妨害されることのないようにした、スプリンクラーの散水スプレイ揺動制御装置に関するものである。
【背景技術】
【０００２】
図１は、従来のスプリンクラーの散水スプレイ揺動制御装置の断面斜視図である。
このような従来技術の散水スプレイ揺動制御装置は散水装置１０を含み、入口ポート１１を通過した水流が水車１２へ噴射されて、水車１２が回転し、ギアシャフト１３を付勢するようになっている。その後、ギアシャフト１３はウォームギア１４を駆動して、同軸に固定されている円筒状車輪装置１５をウォームギア１４と一緒に回転させるようになっている。
【０００３】
円筒状車輪装置１５の螺旋形の案内凹部１５１に隣接している突出シャフト１６１が、螺旋形の案内凹部１５１の回転によりに押し付けられ、摺動座１７の楕円形の細長いスロット開口１７１内で前後移動するように制限されている。したがって、摺動座１７と一体成型されたプラグ体１６も前後に移動させられて、水流出口オリフィス１８から離れたり近づいたりして放水空間を変えることにより、水流出口オリフィス１８から散水される水量に変化をもたらすようにしている。
【０００４】
しかしながら、このような従来技術のスプリンクラーの散水スプレイ揺動制御装置にはいくつか不具合がある。
まず第一に、水車１２を回転させると円筒状車輪装置１５とプラグ体１６も順繰りにその回転を付勢せられるのであるが、充分な水圧にない状態で水流が噴射された場合、水圧が低いために、円筒状車輪装置１５とプラグ体１６を回転させるには水車１２へ発射される水流が弱過ぎて、互いに干渉せざるを得なくなり、操作中に回転が停止してしまうということになる。
第二に、プラグ体１６が摺動座１７内で前後に移動した場合、水流が楕円形の細長いスロット開口１７１を介して摺動座１７の中へ浸入して来るので、水圧が高くなった場合でも、摺動座１７に溜まった水流が抵抗層を形成し、これによりプラグ体１６が封鎖されてしまうということになると共に、水車１２もプラグ体１６に干渉されて、稼働中に回転し難くなる。
【０００５】
別のスプリンクラーの散水スプレイ揺動制御装置が米国特許第４８６０９５４号に開示されているが、この特許では、スプリンクラーはシャフトの前後方向の移動を付勢するために羽根車の回転を利用していて、チューブと連通しているシャフトの一端部に偏心カムが配設されている。中でも、この二番目の従来技術は数多くの構成部品を使用していて、非常に複雑な構造に特徴づけられるものであり、これによって、組立が難しくて製造に時間が掛かるのを余儀なくさせられる。
【特許文献１】米国特許第４８６０９５４号
【発明の開示】
【発明が解決しようとする課題】
【０００６】
本発明は、上記のような従来技術の欠点を改善して、散水スプレイ制御装置のリンケージ歯車が歯車装置の一方の歯車と直接噛み合うことによるリンケージ機構を提供することにより、１組のカバーブロックが徐々に回転させられて、取水供給量が切り換えられるようになるので、散水スプレイ制御装置が動作中に水流に干渉されるようなことが防止されると共に、歯車装置も散水スプレイ制御装置の回転を簡単に円滑に正確に付勢することができるようになる、というスプリンクラーの散水スプレイ揺動制御装置を提供することを第１の目的とする。
【０００７】
また、本発明の第２の目的は、水ダクトに配設された１組の入口オリフィスがカバーブロックと散水スプレイ制御装置の取水通路と共に協働して、散水スプレイ制御装置のリンケージ歯車が歯車装置によって、直接、徐々に徐々に回転されるようになるので、操作が簡単で正確に行ない易くすることのできるスプリンクラーの散水スプレイ揺動制御装置を提供することである。
【課題を解決するための手段】
【０００８】
本発明の請求項１にかかるスプリンクラーの散水スプレイ揺動制御装置は、異なる角度に散水スプレイ体の揺動動作を付勢するための散水制御集成体から構成され、羽根車のついた歯車装置が前記散水制御集成体内部に配置されており、前記歯車装置と連結して散水スプレイ揺動制御装置がもたらされており、前記散水スプレイ揺動制御装置は、複数個の入口オリフィスが限定された水ダクトと、一端部にリンケージ歯車および他端部に複数個のカバーブロックを有する散水スプレイ制御装置とから成り、前記散水スプレイ制御装置のリンケージ歯車は前記歯車装置の内の一つの対応する歯車に直接噛み合い、前記カバーブロックは前記入口オリフィスと正確に噛み合い、前記散水スプレイ制御装置のリンケージ歯車とカバーブロックとが前記歯車装置によって付勢されて、徐々に徐々に回転させられて入口オリフィスに流れ込む給水量を切り換えることにより、噴射される散水スプレイが、遠くから近くへ、近くから遠くへと、距離をリズミカルに変えて揺動するようにしたことで、芝生上に散水を均一に分布することができるようにしたことを特徴とする。
【０００９】
請求項２の発明は、請求項１記載のスプリンクラーの散水スプレイ揺動制御装置において、前記水ダクトにはその一端部に固定歯車が配置され、前記歯車装置の前端歯車と噛み合うようになることを特徴とする。
請求項３の発明は、請求項１記載のスプリンクラーの散水スプレイ揺動制御装置において、前記散水制御集成体は更に、端部水入口および可動座を含み、前記端部水入口および可動座各々には前記水ダクト収容用の溝部が配設されていて、これら溝部を介して互いに密着状態に接合されていることを特徴とする。
請求項４の発明は、請求項３記載のスプリンクラーの散水スプレイ揺動制御装置において、前記端部水入口の溝部内にはリング座が形成されており、該リング座には挿入用ブロックが突出して形成され、複数個の挿入用凹部が表面に形成された位置決め部材に係合して位置決めするようにしたことを特徴とする。
請求項５の発明は、請求項４記載のスプリンクラーの散水スプレイ揺動制御装置において、前記位置決め部材は、テーパが付いた環状端部に、複数個の逆止プレートと可撓性プレートとが交互に配置されており、前記各々の可撓性プレートはその内側表面に鋸歯状リブが限定されており、位置決め部材の環状のテーパ付き端部が、水ダクトの固定歯車と相対向する端部に形成され鋸歯状表面が限定された係止座へ協働的に連結されると、位置決め部材の可撓性プレートの鋸歯状リブが係止座の鋸歯状表面に弾性的に噛み合うと共に、位置決め部材の逆止プレートが係止座の内側端部壁面に正確に密接隣接して位置付けられるようになることを特徴とする。
【００１０】
請求項６の発明は、請求項１記載のスプリンクラーの散水スプレイ揺動制御装置において、前記水ダクトの中間部分には、複数個の環状溝が限定されており、各々の環状溝の中には密封リングが収容されていることを特徴とする。
請求項７の発明は、請求項２記載のスプリンクラーの散水スプレイ揺動制御装置において、前記水ダクトの固定歯車と可動座の溝部との間に潤滑プレートが挟持されていることを特徴とする。
請求項８の発明は、請求項１記載のスプリンクラーの散水スプレイ揺動制御装置において、前記水ダクトの他端部の外側表面には、水ダクトの内側と連通して入口オリフィスが相対向して対称的に配置され、水ダクトの他端部の内部には、窪みの限定された段付きリング状隣接座が配置され、前記窪みの中心には小径になる管路が配置されていて、前記管路の両側には、移動室および集水室が配置され、該移動室を介して前記散水スプレイ制御装置が設置されるという構成になり、散水スプレイ制御装置の一端部に配置された連結プレートの両側部には、相対向して対称的に外側にアーチ形に膨らんで、全体としてＨ字形構成を形成したカバーブロックが配置されていて、これにより、連結プレートの上側および下側の両方に取水通路が限定されると共に、前記カバーブロックがリング状隣接座に隣接して、連結プレートが前記窪みの上部全体にわたると、適切な空間を保持できるようになることを特徴とする。
【００１１】
請求項９の発明は、請求項８記載のスプリンクラーの散水スプレイ揺動制御装置において、一端部にテーパ付き係止フランジが配設され、その他端部には環状係止フランジが配置され、前記環状係止フランジの内側にバネが配置された圧力解除弁を備え、前記圧力解除弁の環状係止フランジは前記バネによって弾性的に支持されていて、前記圧力解除弁が前記水ダクトの管路へ収容されると、前記テーパ付き係止フランジが前記窪みの内壁に正確に隣接するようになる一方、前記散水スプレイ制御装置の連結プレートの一端部にも前記管路に正確に一致するように形成された切欠部が形成されていて、これにより、高水圧状態に対しては、圧力を解除する機構が働くように水圧の強度によって操作中に圧力解除弁が付勢されるようにしたことを特徴とする。
請求項１０の発明は、請求項１記載のスプリンクラーの散水スプレイ揺動制御装置において、ファン状形態に形成された一対の対称になる係止面を有する入口オリフィスが水ダクトの一端部の内部に形成されており、前記係止面の両側には、移動室および集水室が配置されていて、移動室および集水室が入口オリフィスと流体移動可能に接続しており、散水スプレイ制御装置に前記入口オリフィスとほぼ同形状ではあるが若干大きいカバーブロックが一対備えられており、前記散水スプレイ制御装置が前記移動室に配置され、前記散水スプレイ制御装置のカバーブロックが前記係止面をスムーズに回転してゆくと、前記２つの入口オリフィスを徐々に塞いでゆき、これにより取水量を切り換えてゆくようにしたことを特徴とする。
【発明の効果】
【００１２】
本発明のスプリンクラーの散水スプレイ揺動制御装置においては、２個の入口オリフィスが、散水スプレイ制御装置のカバーブロックおよび取水通路と協働すると共に、散水スプレイ制御装置のリンケージ歯車が歯車装置の内の対応する歯車と直接噛み合うことで、取水量を連続的に切り換えることができ、これにより、散水スプレイ制御装置の操作が水流に干渉されることがなく、安定した動作が達成される。
また、本発明のスプリンクラーの散水スプレイ揺動制御装置よれば、散水スプレイの散水距離を、近くから遠くへ、遠くから近くへと、順々に切り換えることにより、芝生面に対し均等な散水を行なえる。
【発明を実施するための最良の形態】
【００１３】
以下、添付図面を参照して本発明の好適な実施の形態を詳細に説明する。図２は組立完了の本発明のスプリンクラーの散水スプレイ揺動制御装置の断面図、図３は本発明のスプリンクラーの散水スプレイ揺動制御装置の破断概略斜視図、図４は本発明の散水スプレイ揺動制御装置の断面図、図５は散水スプレイ制御装置を示す概略図で、最大給水量段階へ切り換えられた状態を示している図、図６は図５の状態の操作状態における側面図、図７は、散水スプレイ制御装置を示す概略図で、徐々に回転させられ、中間給水量段階へ切り換えられた状態を示している図、図８は図７の回転操作状態における側面図、図９は、本発明のスプリンクラーの散水スプレイ揺動制御装置から噴射された噴射水を示す概略図で、遠くも近くも均等に芝生上に水が散水されているのを示す図、図１０は散水スプレイ制御装置の概略図で、徐々に回転させられ、最小給水量段階へ切り換えられた状態を示している図、図１１は図１０の回転操作状態における側面図、図１２は垂直タイプのスプリンクラーに本発明が取り付けられているのを示す斜視図、図１３は本発明の散水スプレイ制御装置の第２の実施例を示す破断斜視図、図１４は第２実施例の散水スプレイ制御装置の組立完了状態の断面図、図１５は、第２実施例の散水スプレイ制御装置が最大給水量段階へ回転させられているのを示す概略図、図１６は中間給水量段階へ切り換えられた状態を示している第２実施例の散水スプレイ制御装置の概略図、図１７は徐々に回転させられ、最小給水量段階へ切り換えられた状態の第２実施例の散水スプレイ制御装置の概略図、図１８は、本発明のスプリンクラーの散水スプレイ揺動制御装置の第３実施例の組立完成状態の断面図で、低圧の水圧状態にあるのを示す図、図１９は図１８と同様の図で高圧状態にあるのを示す断面図である。
【実施例１】
【００１４】
図２は、本発明のスプリンクラーの散水スプレイ揺動制御装置の第１実施例を示す組立完成状態の一部切欠き断面図である。
本発明のスプリンクラーの散水スプレイ揺動制御装置おいて、（水平タイプに作られた、或いは図１２の垂直タイプに作られた）スプリンクラーでは、散水スプレイ体が、端部水注入口２０，位置決め接続部材３０，可動座４０，連結座５０，水流排出口６０、歯車装置７０とから構成された散水制御集成体を介して、異なる角度に揺動するように付勢される。
【００１５】
前記端部水注入口２０では、注入ポート２１が、給水量を加減するように調整する水制御弁２２の調節ポート２２１へ流体移動可能に接続されている。
前記位置決め接続部材３０にはその一側に制限穴３１が形成されていて、取水切換装置３２と協働することにより水注入口（図示せず）を切り換えて、散水スプレイ体の揺動方向を変えるようになっている。
【００１６】
前記連結座５０は、可動座４０水流排出口６０との間に配置されている。
前記歯車装置７０は、その一端部が連結座５０の一側へ据え付けられて、可動座４０の内部に収容されている。前記歯車装置７０には、水ダクト８０の固定歯車８１と相互に噛み合う前端部歯車７０１が、そして羽根車に連結された駆動歯車と噛み合う後端部歯車７０２が備えられており、羽根車と駆動歯車は、連結座５０の中心でその両側面にそれぞれ位置付けられている。羽根車は、水流排出口６０を通過して流れる取水流の方向によって決定された方向へ回転される。
前記水ダクト８０は、互いに密着して位置する、端部の水注入口２０と可動座４０とのそれぞれの溝部２３，４１の内側に配置されている。
【００１７】
端部水注入口２０の溝部２３の内部にはリング座２３２が設けられていて、リング座２３２には突出挿入ブロック２３１が複数個形成されており、図３に示すように、表面に複数個の挿入凹部９１が限定されている位置決め部材９０と係合するようになっている。位置決め部材９０の環状のテーパ付端部には複数個の逆止プレート９２と可撓性プレート９３とが互いに交互に配置されており、各可撓性プレート９３の内側表面には鋸歯状リブが形成されている。
【００１８】
また、水ダクト８０には、固定歯車８１の相対向する反対側端部に、位置決め部材９０との連結用に段付係止座８２が形成されており、その周囲表面にはギザギザの鋸歯状表面８２１が限定されている。位置決め部材９０を段付係止座８２に嵌合させると、位置決め部材９０の可撓性プレート９３の鋸歯状リブ９３１が、段付係止座８２のギザギザ表面８２１と弾性的に噛み合って、逆止プレート９２が係止座８２の内側の端部壁面に正確に密接隣接して位置付けられるようになる。
【００１９】
更にまた、水ダクト８０には、その中央部分に複数個の環状溝８３が配設されていて、それぞれの環状溝８３内には密封リング８３１が配置される。更に、水ダクト８０には、その他端部に相対向した１組の入口オリフィス８４が形成されている。密封リング８３１は、端部の水注入口２０の溝部２３と可動座４０の溝部４１の内側壁に対してそれぞれ隙間なく密着状態に隣接して配置されているので、防水効果が達成され、水漏れ問題を回避できる。
【００２０】
その上、水ダクト８０の両端部に存在する固定歯車８１と係止座８２は、それぞれ、溝部４１と逆止プレート９２とによって支持されており、そして、固定歯車８１と溝部４１との間には、潤滑プレート８５が挟持されているので、これにより位置付け部材９０にぴたりと隣接した位置付けで水ダクト８０を保持できるようになる。
水ダクト８０には、また、他端部の内部に配置された窪み８６１と、前記窪み８６１の中心に配置された小径の管路８６２とが限定された、段付リング状隣接座８６があり、該段付リング状隣接座８６の両側部には、それぞれ、移動室８７と集水室８８とが配置されている。
前記入口オリフィス８４と管路８６２は、水流が可動座４０の内部へと流れ込むようにさせる。
【００２１】
更にまた、散水スプレイ制御装置８９には、リンケージ歯車８９１が配設されていて、歯車装置７０の内の対応する歯車７０３と噛み合うようになっている。散水スプレイ制御装置８９は移動室８７の内部に旋回可能に設置されている。散水スプレイ制御装置８９のリンケージ歯車８９１の反対側の端部には、入口オリフィス８４に対応するように、Ｈ字形の構成になる、１対のカバーブロック８９３の形成された連結プレート８９２が配置されている。カバーブロック８９３は、アーチ形に湾曲して全体形状として蒲鉾状になるように相対向して反対方向外側へ対称的に膨らんだ形で、連結プレート８９２の両側部に配置されている。また、カバーブロック８９３はリング状隣接座８６に接触すると、連結プレート８９２が窪み８６１全体にわたり、これにより、図４にあるように、空間が適切に保持されるようになる。
【００２２】
実際に使用する場合、まず、羽根車の駆動歯車によって、歯車装置７０が取水流の方向に決定された方向へ回転されて、散水スプレイ体Ｂ（図９参照）が揺動運動を付勢されて、歯車装置７０の対応する歯車７０３が、リンケージ機構の散水スプレイ制御装置８９のリンケージ歯車８９１を回転する。
【００２３】
図５および図６にあるように、散水スプレイ制御装置８９の取水通路８９４が入口オリフィス８４と完全に整合すると、大量の給水がなされて、水ダクト８０の両側部に配置された入口オリフィス８４，８４と、管路８６２とを通過して、移動室８７を通って流れて行き、可動座４０に入っていって、更に、連結座５０の水出口、羽根車、そして水流排出口６０を連続して通過して流れて、散水スプレイ体Ｂを介して外部に大気中へと噴射される。
【００２４】
散水スプレイＡは、大量給水レベルにした場合には、更に遠くへ噴射できるようになる。歯車装置７０が作動し続けると、カバーブロック８９３が徐々に回転して、入口オリフィス８４に接近して、図７および図８にあるように、順々にオリフィスを塞いでいって、取水量を順番に変えてゆくようにする。故に、散水スプレイ体Ｂの揺動運動と取水量に応じて、噴射された散水スプレイＡの距離が、遠くから近くへ、そして、近くから遠くへと、リズミカルに変動して、図９にあるように、芝生の上に散水を均等に行なうことができる。
【００２５】
図１０および図１１にあるように、カバーブロック８９３が入口オリフィス８４を完全に塞ぐまで回転させられた場合、カバーブロック８９３と入口オリフィス８４の間の隙間を流れて浸透して行く分を除いて、水流は集水室８８の管路８６２を通過して流れ続けて、移動室の中へ流れ込んで行く。故に、入口オリフィス８４がカバーブロック８９３によって完全に閉じられた場合でも（すなわち、散水スプレイＡが近場の距離に散水される場合）、羽根車および歯車装置７０を付勢するのに充分な取水量が保持され、散水スプレイ体Ｂの通常の揺動運動が容易にでき、最良の使用状態が達成される。
【００２６】
更にまた、散水スプレイ制御装置８９のリンケージ歯車８９１が歯車装置７０の対応歯車７０３と直接噛み合うことで、それと共にカバーブロック８９３が回転して、徐々に取水量を切り換えられるようになる。従って、散水スプレイ制御装置８９が作動中に水流に干渉されることを回避できると共に、歯車装置７０が全くてこずることなくスムーズに散水スプレイ制御装置８９の回転を正確に付勢することができるようになる。
【００２７】
また、力を加えて散水スプレイ体Ｂを傾けた時に、それと同期して連結機構において、前方端部の流水排出口６０，連結座５０，歯車装置７０，可動座４０が作動して、歯車装置７０の前端歯車と噛み合っている水ダクト８０の固定歯車８１が付勢されて、水ダクト８０が、端部水入口２０と可動座４０の溝２３，４１内で回転する。一方、可撓性プレート９３の歯形リブ９３１が水ダクト８０のギザギザ表面８２１に弾性的に拘束されて噛み合っているという設計構造を介して、水ダクト８０のギザギザ表面８２１が位置決め部材９０の可撓性プレート９３を跳ね上げて、可撓性プレート９０の鋸歯形リブ９３１と反対方向に走行して、徐々にアイドリング回転になる。従って、散水スプレイ体Ｂに力が行使されて傾けられた場合、抵抗が発生して、これにより、散水スプレイ体Ｂに過剰な力が加わって損傷が発生しまう、というようなことが回避できる。
【実施例２】
【００２８】
図１３，図１４に、本発明のスプリンクラーの散水スプレイ揺動制御装置の第２の実施例を示す。図１３はこの実施例の破断斜視図である。この実施例では、水ダクト８０’には、その両端部にギザギザ表面が限定された固定歯車８１’と係止座８２’が配置され、その間の適切な位置に密閉リング８３１を収容するための環状凹部８３’が複数個設けられている。
【００２９】
更に、水ダクト８０’には、その一端部の内側に１対のファン状入口オリフィス８４’が対称に配置されていて、その間に１対の係止面８４１’が対称に形成されており、係止面８４１’の両側に移動室８５’および集水室８６’が配置され、流体移動できるように入口オリフィスと接続している。
【００３０】
散水スプレイ制御装置８９’には、リンケージ歯車８９１’と、このリンケージ歯車８９１’の相対向する端部に配置され入口オリフィス８４’と同様の形状になる１対のカバーブロック８９２’とが備わっている。カバーブロック８９２’は入口オリフィス８４’よりも若干大きく作られている。従って、散水スプレイ制御装置８９’のリンケージ歯車８９１’が付勢されて歯車装置７０に沿って回転したとき、これら２個のカバーブロック８９２’も係止面８４１’上で回転させられ、徐々に入口オリフィスを塞いでゆき、これにより取水量を切り換えることができるようになっている。
【００３１】
カバーブロック８９２’が係止面８４１’に完全に密着したとき、集水室８６’に集められた水流が大量に２つの入口オリフィス８４’および移動室８５’を通過して可動座４０’の内部へ流れ出て、図１５に示されるように、散水スプレイＡは更に遠い距離まで飛んで行くようになる。
【００３２】
また、図１６，図１７に示すように、カバーブロック８９２’が、一部塞がれた状態から完全に塞がれた状態まで、徐々に２つの入口オリフィス８４’を塞いでいくように回転し続けると、噴射される散水スプレイＡは遠くから近場の距離へと移動してくる。
このようにして、遠くの芝生も近くの芝生も均等に均一に散水されることができるようになる。
【実施例３】
【００３３】
図１８には、第３の実施例が示されており、この状態は低圧状態が適用されている。バネ８６３１が設置されている圧力解除弁８６３が水ダクト８０の管路８６２に収容される。圧力解除弁８６３の一端部にはテーパ付きの係止フランジ８６３２が配置されており、他端部には環状係止フランジ８６３３が配置されている。環状係止フランジ８６３３はバネ８６３１によって弾性的に支持されているので、これによって、テーパ付き係止フランジ８６３３が窪み８６１の内壁に対して正確に隣接するようになる。
【００３４】
散水スプレイ制御装置８９の一端部にある連結プレート８９２には、管路８６２に正確に対応する切欠部８９２１が形成されており、圧力解除弁８６３が付勢されると、管路８６２の中を切欠部８９２１の方に向かってへ移動する。
低水圧の場合には、水流は、入口オリフィス８４と同様に圧力解除弁および管路８６２にも入って行くようになる。しかし、高水圧の場合には、環状係止フランジ８６３３が水圧によって押し付けられて、バネ８６３１が圧縮され、圧力解除弁８６３が管路８６２に沿って摺動するように案内されて、図１９に示すように、切欠部８９２１の方向へ移動するようになり、これにより、圧力解除機能が果たされる。
【００３５】
以上のように、本発明の好適な実施例を説明したが、本発明は、上記実施例に限定されることなく、特許請求の範囲を逸脱しない範囲における各種の変形，改良は本発明の請求範囲に包含されることは言うまでもない。
【図面の簡単な説明】
【００３６】
【図１】従来のスプリンクラーの散水スプレイ揺動制御装置の斜視図、
【図２】組立完了の本発明のスプリンクラーの散水スプレイ揺動制御装置の第１実施例を示す断面図、
【図３】本発明のスプリンクラーの散水スプレイ揺動制御装置の破断概略斜視図、
【図４】本発明の散水スプレイ揺動制御装置の断面図、
【図５】散水スプレイ制御装置を示す概略図で、最大給水量段階へ切り換えられた状態を示している図、
【図６】図５の状態の操作状態における側面図、
【図７】散水スプレイ制御装置を示す概略図で、徐々に回転させられ、中間給水量段階へ切り換えられた状態を示している図、
【図８】図７の回転操作状態における側面図、
【図９】本発明のスプリンクラーの散水スプレイ揺動制御装置から噴射された噴射水を示す概略図で、遠くも近くも均等に芝生上に水が散水されている状態を示す図、
【図１０】散水スプレイ制御装置の概略図で、徐々に回転させられ、最小給水量段階へ切り換えられた状態を示している図、
【図１１】図１０の回転操作状態における側面図、
【図１２】垂直タイプのスプリンクラーに本発明が取り付けられているのを示す斜視図、
【図１３】本発明の散水スプレイ制御装置の第２実施例を示す破断斜視図、
【図１４】第２実施例の散水スプレイ制御装置の組立完了状態の断面図、
【図１５】第２実施例の散水スプレイ制御装置が最大給水量段階へ回転させられているのを示す概略図、
【図１６】中間給水量段階へ切り換えられた状態を示している第２実施例の散水スプレイ制御装置の概略図、
【図１７】徐々に回転させられ、最小給水量段階へ切り換えられた状態の第２実施例の散水スプレイ制御装置の概略図、
【図１８】本発明のスプリンクラーの散水スプレイ揺動制御装置の第３実施例の組立完成状態の断面図で、低圧の水圧状態にあるのを示す図、
【図１９】図１８と同様の図で高圧状態にあるのを示す断面図である。
【符号の説明】
【００３７】
２０    端部の水注入口
２１    注入ポート
２２    水制御弁
２２１  調節ポート
２３    端部注入口の溝部
３０    位置決め接続部材
３１    制限孔
３２    取水切換装置
４０    可動座
４１    可動座の溝部
６０    水流排出口
７０    歯車装置
７０１  前端部歯車
７０２  後端部歯車
８０    水ダクト
８１    固定歯車
８２    段付係止座
８２１  段付係止座のギザギザ表面
８４    入口オリフィス
８６    段付リング状隣接座
８６２  管路
８７    移動室
８８    集水室
８９    散水スプレイ制御装置
８９１  リンケージ歯車
８９３  カバーブロック
８９４  取水通路
９０    位置決め部材
９１    挿入凹部
９２    逆止プレート
９３    可撓性プレート
９３１  鋸歯状リブ
Ａ      散水スプレイ
Ｂ      散水スプレイ体
【図１】
2007151533.tif 000003
【図２】
2007151533.tif 000004
【図３】
2007151533.tif 000005
【図４】
2007151533.tif 000006
【図５】
2007151533.tif 000007
【図６】
2007151533.tif 000008
【図７】
2007151533.tif 000009
【図８】
2007151533.tif 000010
【図９】
2007151533.tif 000011
【図１０】
2007151533.tif 000012
【図１１】
2007151533.tif 000013
【図１２】
2007151533.tif 000014
【図１３】
2007151533.tif 000015
【図１４】
2007151533.tif 000016
【図１５】
2007151533.tif 000017
【図１６】
2007151533.tif 000018
【図１７】
2007151533.tif 000019
【図１８】
2007151533.tif 000020
【図１９】
2007151533.tif 000021